(57)【特許請求の範囲】
【請求項１】
メモ台と該メモ台を支えるメモ台支持アームと、椅子側に取付けられて前記メモ台支持アームを着脱可能に装入する軸承け部とを備える椅子のメモ台取付け構造において、
前記軸承け部は椅子の幅方向に軸心を配置した丸孔を有し、
前記メモ台支持アームは、前記軸承け部の丸孔に装入される軸部と、該軸部を中心とする当該メモ台支持アームの椅子の前後方向への回転を脚に押し当てられて止める当接部とを備え、
前記軸承け部に前記軸部が差し込まれて前記メモ台支持アームが回転可能に支えられると共に、傾斜する前記メモ台支持アームの当接部が前記椅子の脚に押し当てられることで回転が阻止されてメモ台が固定されることを特徴とする椅子のメモ台取付け構造。  
【請求項２】
前記当接部は、前記メモ台支持アームの側面から前記軸部と平行に突出されて前記脚の前面あるいは後面に宛がわれる棒状物であることを特徴とする請求項１記載の椅子のメモ台取付け構造。
【請求項３】
前記当接部は、前記脚の内側の側面部分に当接する抜け止め部を有するものである請求項１または２記載の椅子のメモ台取付け構造。
【請求項４】
前記抜け止め部は、先端に向かって広がり、前記脚に前記当接部が宛がわれたときに前記支持アームを前記脚に向けて引き寄せる力を起こさせるものである請求項３記載の椅子のメモ台取付け構造。
【請求項５】
前記軸承け部は、椅子の左右の脚フレーム間に跨がるパイプであることを特徴とする請求項１から４ものいずれか１つに記載の椅子のメモ台取付け構造。
【請求項６】
前記軸部には径方向に突出する突起が、前記軸承け部の装入口側には前記軸部と前記突起とが通過する大きさの受入れ口と切り欠きとを有する係留部材が設けられ、前記突起と前記切り欠きとの位置が一致している場合に前記軸部が前記受入れ口を通過して前記軸承け部への挿入あるいは前記軸承け部からの引き抜きを可能とし、一致していない場合には前記突起が前記係留部材に当接して前記軸部及び突起の前記受入れ口の通過を不能とすることを特徴とする請求項１から５のいずれか１つに記載の椅子のメモ台取付け構造。
【請求項７】
請求項１から６のいずれかに記載のメモ台取付け構造を備える椅子。
【発明の詳細な説明】
【技術分野】
【０００１】
本発明は椅子のメモ台取付け構造に関する。更に詳述すると、本発明は、メモ台側の構成部材を椅子本体側に対して着脱可能に取付ける椅子のメモ台取付け構造並びにそれを用いた椅子に関する。
【背景技術】
【０００２】
従来より、メモ台を着脱可能に取付けるメモ台取付け構造はある。例えば、椅子の座の一側にメモ台を水平方向に出し入れすることで着脱自在に取付けた椅子が存在する（例えば特許文献１、２）。
【０００３】
特許文献１記載のメモ台取付け構造は、スタッキング可能な椅子において、座の下部に、メモ台フレームの下端に設けた平板状の支持板を水平方向に差し入れ可能とするスリット状の隙間を有する偏平な取付金具を備え、メモ台下端の支持板を水平方向に出し入れすることでメモ台が椅子に着脱可能に取付けられている。座下に取付けられる偏平な箱形の取付金具は左右両端が開放され、その内部の空洞（ガイド溝）の中に上下のガイド板を端部で連結して成る合成樹脂製スライド部材が椅子の内側から外側へ向けて装入されると共に、椅子の外側から内側へ向けてスライド部材の上下のガイド板の間に形成されるスリットにメモ台フレームの下端の支持板が挿入されることによって、メモ台フレームが着脱自在に挟持される構造とされている。
【０００４】
また、特許文献２記載のメモ台取付け構造は、メモ台を支える非円形断面の取付け用アームの下端部をＬ形に内側に曲げ、この折り曲げられた部分を座下に相互に平行に配置された２枚の固定金具の非円形穴に差し込んでメモ台を装着するようにしている。メモ台を支える支持アームの椅子への取付け部並びに該取付け部を受け入れる穴の形状を、例えば四角形、楕円形、Ｄ形などの非円形状とすることにより、メモ台に力が加わり取付け部に回転させる力が働いても、その回転が阻止されてメモ台の姿勢が保たれる。また、メモ台を支える取付け用アームの取り外しは、抜け止め用のばねの当たりを解除することにより可能とされている。
【先行技術文献】
【特許文献】
【０００５】
【特許文献１】特開平０８−２４０８１号公報
【特許文献２】特開平０８−１８２５７８号公報
【発明の概要】
【発明が解決しようとする課題】
【０００６】
しかしながら、特許文献１記載のメモ台支持構造では、メモ台支持アーム下端の支持板とこれを装入する合成樹脂製スライド部材・取付金具との間でメモ台にかかる荷重の全てを受け支える構造（片持ち構造）となっているので、これらの間にメモ台にかかる荷重がトルクとしてかかるので、捻り強度を相当に高くする必要がある。しかも、トルクに加えて鉛直方向の曲げも支持板に同時にかかるため、大きな荷重がかかった場合には破損の虞もあることから、支持板とこれを装入する合成樹脂製スライド部材・取付金具の双方ともに大きな剛性部材としなければならず大がかりな構造となってしまう。このため、座下に大がかりな構造を備えることとなりスタッキング効率の低下を招く一因ともなる。
【０００７】
また、メモ台支持アームの下端の支持板をスリットに挿入して回転不能に取付けるようにしているので、着脱のため設計上のクリアランスが必要になり、がた付きを完全に無くすことはできない。したがって、がた付きが生じ易く、騒音も出易くなるし、遊びがあることでメモ台を使用する際にメモ台の安定感が悪くなる。
【０００８】
しかも、偏平な箱形の取付金具と、その内部に装入される合成樹脂製スライド部材と、スライド部材の間に挟持されるメモ台フレームの下端の支持板とを組み合わせる複雑な構造であると共に部品点数も多くなるので、コスト高なものとなる。
【０００９】
また、特許文献２のメモ台取付け構造によれば、角パイプをＬ形に曲げた支持アームの一端を角穴に挿入して回転不能に取付けるようにしているので、角穴と各パイプとの間に十分な隙間が形成されていないと、アームの挿入が容易でないし、こじりを起こして角穴に挿入できなかったり、挿入途中で止まってしまったりする虞がある。つまり、非円形の穴に非円形の軸部を嵌合させることで回転不能としているので、着脱のため設計上のクリアランスが必要になり、がた付きを完全に無くすことはできない。したがって、がた付きが生じ易い。がたつきが大きくなると騒音が出やすい問題も伴うし、さらには遊びが大きくなると、メモ台を使用する際に不安定となり、使用感が悪くなる。
【００１０】
また、Ｌ形の支持アームによる片持ち構造となっているので、メモ台にかかる荷重が軸回りの回転として軸部にトルクとしてかかるので、捻りに対して強度を高くする必要がある。このため、支持アームを剛性の高いものとするため、角パイプの肉厚を厚くして強度を高める必要があり、重量が増える問題、惹いては重心の偏りも問題を生ずることとなる。
【００１１】
いずれにしても、特許文献１，２記載のメモ台取付け構造によれば、簡単に着脱が可能で尚且つぐらつくことなくメモ台を取付けることは容易ではない。
【００１２】
本発明は、簡易な構造でありながら着脱自在で有り、尚且つぐらつくことなくメモ台を容易に取付けることができ、さらには耐荷重にも優れた椅子のメモ台の取付け構造を提供することを目的とする。
【課題を解決するための手段】
【００１３】
かかる目的を達成するために請求項１記載の発明は、メモ台と該メモ台を支えるメモ台支持アームと、椅子側に取付けられてメモ台支持アームを着脱可能に装入する軸承け部とを備える椅子のメモ台取付け構造において、軸承け部は椅子の幅方向に軸心を配置した丸孔を有し、メモ台支持アームは、軸承け部の丸孔に装入される軸部と、該軸部を中心とする当該メモ台支持アームの椅子の前後方向への回転を脚に押し当てられて止める当接部とを備え、軸承け部に軸部が差し込まれてメモ台支持アームが回転可能に支えられると共に、傾斜するメモ台支持アームの当接部が椅子の脚に押し当てられることで回転が阻止されてメモ台が固定されるようにしている。  
【００１４】
また、請求項２記載の発明にかかる椅子のメモ台取付け構造において、当接部は、特定の形状並び構造に限られるものではないが、メモ台支持アームの側面から軸部と平行に突出されて脚の前面あるいは後面に宛がわれる棒状物であることが好ましい。
【００１５】
また、請求項３記載の発明にかかる椅子のメモ台取付け構造において、当接部は、脚の内側の側面部分に当接する抜け止め部を有するものであることが好ましい。ここで、抜け止め部は、特定の形状並び構造に限られるものではないが、先端に向かって広がり、脚に当接部が宛がわれたときに支持アームを脚に向けて引き寄せる力を起こさせるものであることがより好ましい。
【００１６】
また、請求項５記載の発明にかかる椅子のメモ台取付け構造において、軸承け部は、特定の形状並び構造に限られるものではないが、椅子の左右の脚フレーム間に跨がるパイプであることが好ましい。
【００１７】
また、請求項６記載の発明にかかる椅子のメモ台取付け構造は、軸部には径方向に突出する突起が、軸承け部の装入口側には軸部と突起とが通過する大きさの受入れ口と切り欠きとを有する係留部材が設けられ、突起と切り欠きとの位置が一致している場合に軸部が受入れ口を通過して軸承け部への挿入あるいは軸承け部からの引き抜きを可能とし、一致していない場合には突起が係留部材に当接して軸部及び突起の受入れ口の通過を不能とするようにしている。
【００１８】
また、請求項７記載の発明は、請求項１から６のいずれかに記載のメモ台取付け構造を備える椅子である。
【発明の効果】
【００１９】
請求項１記載の椅子のメモ台取付け構造によれば、メモ台支持アームの軸部を椅子側の軸承け部に水平に差し込むだけで、メモ台支持アームが軸部を中心に椅子の前後方向に回転しながら当接部を椅子の脚に押し当て、メモ台支持アームの回転を止めてメモ台を固定することができる。しかも、メモ台支持アームの軸部及び椅子側の軸承け部の孔形状は丸であるため、差し込む際の軸部の向きに制約をうけない。また、メモ台支持アームの軸部を椅子の軸承け部から水平に引き抜くだけでメモ台を取り外すことができる。つまり、着脱作業性が良い。さらに、メモ台にかかる荷重で当接部が脚に向って常時押しつけられることでメモ台の動きを阻止するので、メモ台が使用中にがたつくことを防止することができる。
【００２０】
また、メモ台にかかる荷重を軸部だけでなく係止部にも受け持たせることで、軸部にかかる力を少なくすることができる。即ち、メモ台にかかる荷重は、メモ台支持アームの軸部と当接部を介して脚に分散されてかかるので、それぞれにかかる力は少なくなり、軸部と軸承け部並びにメモ台支持アーム部の剛性を低くしても壊れ難い。特に、軸部から当接部が脚に当たるまでの距離を長くとれば、脚にかかる力を少なくできるので、メモ台支持アームも細く肉薄なパイプを使用しても壊れ難い。このため、メモ台支持アームが薄肉で細径のパイプでも十分なものとなるため、軽くでき、メモ台を椅子に装着したときの重心の偏りが少なくなるので、メモ台を取付けた状態での安定性が悪くなることを改善できる。
【００２１】
したがって、請求項１記載の椅子のメモ台取付け構造によれば、簡易な構造で着脱自在でありながら耐荷重性にも優れる。さらに、メモ台支持アームの差し込み部は丸孔へ丸棒が入るだけとなり、デザイン上、良好な収まりとなる。
【００２２】
また、請求項２記載の発明にかかる椅子のメモ台取付け構造によれば、当接部がメモ台支持アームの側面から軸部と平行に突出されて脚の前面あるいは後面に宛がわれる棒状物であるので、確実に当接部が脚の前面あるいは後面に押し当てられてメモ台支持アームを固定することができる。
【００２３】
また、請求項３記載の発明にかかる椅子のメモ台取付け構造によれば、当接部が脚の内側の側面部分に当接する抜け止め部を有しているので、当接部が脚に押し当てられて使用状態になるのと同時に抜け止め部が脚の内側の側面部分に当接してメモ台支持アームの椅子の幅方向外側への移動を妨げ抜けない状態にする。
【００２４】
また、請求項４記載の発明にかかる椅子のメモ台取付け構造によれば、抜け止め部が先端に向かって広がり、脚に当接部が宛がわれたときに支持アームを脚に向けて引き寄せる力を起こさせるので、使用状態になるのと同時にメモ台支持アームを椅子の幅方向内側へ引き寄せて抜けない状態にすると共に幅方向に締め付けることでがたつきを防ぐことができる。
【００２５】
また、請求項５記載の発明にかかる椅子のメモ台取付け構造によれば、軸承け部が椅子の左右の脚フレーム間に跨がるパイプで構成されているので、１本のパイプを溶接するだけで軸承け部を構成でき、構造が簡易であると共に左右の脚の間の脚継ぎ剛性も高められる。また、椅子本体側の追加設備は、１本のパイプを溶接するのみであることから、追加製造コストを低くできる。しかも、簡易的構造であると共に組み立て工数も少なくなる。
【００２６】
また、請求項６記載の発明にかかる椅子のメモ台取付け構造によれば、決まった位置でしかメモ台の脱着が行えないので、その位置をメモ台使用位置や離席時にメモ台を退避させる位置を除く位置に設定すれば、メモ台使用中あるいはメモ台を退避位置に移動させた際に、メモ台支持アームが落下・脱落するなどの不測の事態が起こるのを防ぐことができる。このため、メモ台を後方へ回転させて出入りし易くなる。
【図面の簡単な説明】
【００２７】
【図１】本発明の椅子のメモ台取り付け構造の一実施形態を適用したメモ台付き椅子の側面図である。
【図２】同メモ台付き椅子の背面下方から見た斜視図である。
【図３】メモ台支持アームの一実施形態を示す図で、（Ａ）は左側面図、（Ｂ）は正面図、（Ｃ）は当接部と抜け止め部とを一体に構成した鉤部材とメモ台支持アームとの関係を示す底面図である。
【図４】椅子側の軸受け部材の一実施形態を示す下から見た斜視図であり、組み付け状態にある軸承け部と脚との関係を示す。
【図５】椅子側の軸承け部と脚との関係を示す斜視図であり、係留部材を分解した状態を示す。
【図６】椅子側の軸承け部とメモ台支持アームとの関係を示す斜視図であり、係留部材に突起を挿入する前の状態を示す。
【図７】椅子側の軸承け部とメモ台支持アームとの関係を示す斜視図であり、係留部材に突起を挿入した後のメモ台使用状態における突起と係留部材の受入れ口との関係を示す。
【発明を実施するための形態】
【００２８】
以下、本発明の構成を図面に示す実施形態に基づいて詳細に説明する。
【００２９】
図１及び図２に、本発明にかかる椅子のメモ台取付け構造の一実施形態を適用したメモ台付き椅子の一例を示す。このメモ台付き椅子は、メモ台側構成部材と、このメモ台側構成部材を着脱自在に装着可能に支持する椅子本体側受け部材とで構成され、必要に応じてメモ台側構成部材が椅子本体側から取り外し可能とされている。
【００３０】
椅子本体側に備えられる受け部材としての軸承け部は、本実施形態の場合、脚連結金具１２に固定連結される１本のパイプ（以下、メモ台取付け用パイプと呼ぶ）１０と係留部材８とで構成されている。ここで、メモ台支持アーム１を強度的に主に支えるのはメモ台取付け用パイプ１０である。したがって、本明細書において椅子本体側の軸承け部とは、主にメモ台取り付け用パイプ１０を指す。
【００３１】
前脚７と後脚６とは、脚連結金具１２を介して相互に前後方向に連結されている。また、左右の前脚７同士及び後脚６同士は、脚継ぎパイプ１１を介して相互に連結されている。ここで、脚連結金具１２並びに脚継ぎパイプ１１による連結は、一般にはＴＩＧ溶接などの自動溶接によって行われるが、これに特に限られるものではなく、必要に応じてその他の締結手段によっても行われる。
【００３２】
脚連結金具１２は、例えば図４及び図５に示すように、台形状を成す側板部１３と、該側板部１３と直交するように折り曲げられた頂部の座受け部１４と、座受け部１４の前後方向の両端で下向きに垂直に折り曲げられて脚継ぎパイプの上に跨がる脚部１５とを備える。台形状の側板部１３の斜面には前脚７と後脚６との上端附近の周面が宛がわれて溶接されている。また、左右の前脚同士並びに後脚同士の間には、脚継ぎパイプ１１が溶接されている。さらに、前後の脚継ぎパイプ１１同士がそれらの間に跨がる脚連結金具１２の脚部１５にそれぞれ溶接されることによって、相互に連結されている。しかして、前後方向に台形状に開き尚且つ左右間で平行に配置された左右一対の脚フレームが構成される。
【００３３】
脚連結金具１２の側板部１３の内方には、前方の脚継ぎパイプ１１と後方の脚継ぎパイプ１１との間に、メモ台支持アーム１の軸部４を支える軸承部材としてのメモ台取り付け用パイプ１０が備えられている。本実施形態の場合、左右の脚連結金具１２の側板部１３の中央部分（前脚と後脚との中間点近傍）にメモ台支持アーム１の軸部４が貫通する貫通孔１６を形成すると共に、該貫通孔１６と同軸に左右の脚連結金具１２に亘って１本のメモ台取付け用パイプ１０が配置され、両端が左右の脚連結金具１２にそれぞれ溶接付けされることによって構成されている。メモ台取付け用パイプ１０は左右の脚フレーム間に跨がって設置されていることが強度的にも、重心的にも、またメモ台を右取付けと左取付けとを選択可能とする上で好ましい。しかしながら、これは特に重要なことではなく、場合によっては椅子の片側領域だけに存在するように構成されていても良い。例えば、図示していないが、前後の脚継ぎパイプ１１間に跨がる部材と、メモ台支持アーム１の軸部４を装入する丸孔を有する部材とが直交配置されて溶接付けされたＴ型の軸承け部材のようなもの、即ちメモ台取付け用パイプ１０が左右の脚フレーム間の途中にまで設置される構造としても良い。さらには、このようなＴ型の軸承け部材を右側脚フレームと左側脚フレームのそれぞれに独立させて備えても良い。この場合、脚連結金具と前後の脚継ぎパイプとの間で３点支持されるために、軸承部材としての剛性が著しく劣ることはない。しかも、最も座板が低くなる中央部分を回避して脚連結金具附近で軸承部材を構成できるので、１本のメモ台取付け用パイプを左右の脚連結金具間に架け渡す場合よりもさらに座下に高さ方向の場所をとらないため、スタッキング効率の低下を招くことが少ない。
【００３４】
脚連結金具１２の側板部１３の外方には、脚連結金具１２と間隔をあけて係留部材８が平行に配置されている。係留部材８には、メモ台取付け用パイプ１と同心上の丸孔から成る受入れ口１７と、その周縁の一部において軸部４に備えられた径方向の突起５が通過する切り欠き１８とが設けられている。切り欠き１８と突起５の位置が合致したときのみ、突起５が受入れ口１７を通過して脚連結金具１２と係留部材８との間の空間に装入されてメモ台支持アーム１の軸部４を更に深くメモ台取付け用パイプ１０に挿入させてメモ台支持アーム１の装着を完了させることができる（図６及び図７参照）。そして、この状態では、突起５は軸部４と共に自由に回転でき、メモ台支持アーム１の回転自在な支持を可能とする。
【００３５】
尚、軸部４の根元附近に設けられる突起５は、本実施形態では、軸部４に開けられた径方向の穴にスプリングピンを装入することで形成されている。スプリングピンは、軸部４の孔とその回りに嵌められたカラー９とを貫通するようにして装入され、カラー９を同時に固定する。このカラー９は、軸部４のメモ台取付け用パイプ１への挿入深さを規制し、脚フレームに対するメモ台支持アーム１の取り付け位置（接近距離）を一定に保つ。つまり、カラー９と係留部材８とによって、メモ台取付け用パイプ１０へ挿入されるメモ台支持アーム４の位置は一定に保たれる。カラー９は例えば脚連結金具１２の側板部１３の貫通孔１６に嵌め込まれるメモ台取付け用パイプ１０の端面に当接する大きさである。
【００３６】
係留部材８は、例えば板材から成り、ビス止めにより脚連結金具１２の側板部１３に固定することで平行に配置されて脚連結金具１２との間にメモ台支持アーム１の軸部４の突起５を収容する間隔・空間を構成する。係留部材８と脚連結金具１２との連結は、例えば脚連結金具１２の側板部１３との間にカラー１９を介在させて脚連結金具１２の側板部１３に設けられた雌ねじ２０に係留部材８の外からビス（図示省略）をねじ込むことによって行われる。尚、図中の符号２１はビスを通す皿穴、２６は脚連結金具１２を覆い隠すカバーである。
【００３７】
ここで、軸部４の突起５並びに係留部材８は必ずしも設けなくとも良い。メモ台支持アーム１が軸部４を中心に回転しようとするモーメントが作用して当接部２が後脚６あるいは前脚７に常時押し当てられるため、メモ台支持アーム１を側方に引き抜く強い外力が働かない限り椅子から外れ落ちることはない。それに加えて、メモ台支持アーム１の抜け止め効果は抜け止め部３の存在によってもある程度得られる。つまり、係留部材８は、メモ台支持アーム１の軸部４が挿入されることを可能とする単なる丸孔・受入れ口１７を有するだけのものであっても良いし、場合によっては単なる装飾プレートとして用いられても良いし、場合によっては不要としても良い。
【００３８】
尚、脚連結金具１２の座受け部１４には、例えばＬ形に折り曲げられた背もたれ支持杆（背支桿）２２を固定するためのビス通し孔２３が設けられている。背支桿２２は脚連結金具１２の座受け部１４に載置され、ビス止めなどによって座受け部１４に固定されている。本実施例の場合、座受け部１４の上の背支桿２２には、さらに金具等を介して座２５が載置されて固定されている。勿論、本発明の実施において、椅子の構造特に脚の構造は上述のものに限られず、メモ台が取り付けられるあらゆるタイプの椅子に適用可能であることは言うまでもない。尚、図中の符号２４は背である。
【００３９】
メモ台支持アーム１には、椅子側のメモ台取付け用パイプ（丸孔の軸承け部）１０に装入される軸部４と、該軸部４を中心とする当該メモ台支持アーム１の椅子の前後方向への回転を後脚６あるいは前脚７に押し当てられて止める当接部２とが少なくとも備えられている。図１及び図２に示す実施形態のメモ台支持アーム１の場合、軸部４を挟んでメモ台２７が支持される上端部１ａとは反対側に位置する下端部１ｂの内側面に、Ｌ形の鉤部材２８を例えば溶接付けなどで固定することで、当接部２と抜け止め部３とが一体的に形成されている。抜け止め部３は当接部２が脚に押し当てられた状態のときに脚６あるいは７の内側面と交差するように配置されており、椅子の幅方向外側にメモ台支持アーム１が移動することを阻止する。つまり、本実施形態における当接部２と抜け止め部３とは、後脚６に沿って宛がわれるように僅かに折り曲げられたメモ台支持アーム下端部１ｂの領域から椅子の内側へ向けて突出し尚且つ後方へ向けて折り曲げられた鉤型を成すことで後脚６の前面側に宛がわれ、後脚６でメモ台支持アーム下端（メモ台を支持する端部の反対側の端部）１ｂの領域が受け止められる。
【００４０】
抜け止め部３は、図３（Ｃ）に示すように、先端に向かうに従って間隔が広がり、根元側に向かうにしたがって間隔が狭くなるように、僅かな傾斜（傾斜角θ）が付けられていることが好ましい。この場合、後脚６の内側面に先に抜け止め部３が当たることにより、メモ台支持アーム１が軸部４を中心に回動して傾斜すると同時にメモ台支持アーム１の下端部１ｂが後脚６側に相対的に引き寄せられ、当接部２が後脚６の前面に当接するときには、後脚６と抜け止め部３との間にがたつきが全くない状態で嵌まり込むように受け止められる。また、鉤部材２８は抜け止め部３が後脚６の内側（左右の後脚の間に）に配置されることによって、衣服等が引っかかり難くされている。尚、図示していないが、鉤部材２８には樹脂製スリーブ（図示省略）を被せて、滑り止めと緩衝材としての機能を向上させることが好ましい。この場合には、受けとして機能するだけでなく、がた止めともなる。
【００４１】
当接部２は、メモ台２７を背側に引き起こしたときに、前脚７の背面側に当接してメモ台２７がそれ以上後傾しないようにすると同時に、メモ台２７を引き起こした状態で固定することができる。しかも、軸部４を収める係留部材８の受入れ口１７の周囲に切り欠き１８を設けて、軸部４の突起５の位置が合致しない限り、突起５が係留部材８に引っ掛かって軸部４がパイプ１０から抜け落ちないようにしているため、メモ台２７が落下することがない。
【００４２】
ここで、本実施形態におけるメモ台支持アーム１は、椅子に装着して使用する時に、側方から観て台形（ハ形）に前後方向に広がる後脚６，前脚７に対して傾斜した状態に配置されるので、上端部１ａが途中から上向きに折り曲げられてメモ台が座の前端より部分の上方で着座者の腹部の前方に配置され、水平に保たれるように構成されている。他方、メモ台支持アーム１の下端部１ｂは、メモ台使用時に後脚６に沿って配置されるように下向きに僅かに曲げられ、後脚６よりも後方へ出っ張らないように、見た目にも力学的にも配慮されている。交差して点接触となるよりも、線接触となることにより、固定力が増す。
【００４３】
ここで、図１〜図３に示すメモ台支持アーム１は、軸部４を中心にメモ台２７にかかる荷重とは逆方向の後脚６側で反力を受けるように設けられている（第１種てこ構造）が、場合によっては前脚７側で反力を受ける構造としても良い。例えば、図示していないが、メモ台支持アーム１を略くの字形に折り曲げ、屈曲点に軸部４を備えると共に下端側に後ろ向きに広がる抜け止め部３と当接部２とを構成する鉤部材２８が備えられて、当接部２で前脚７を前面側から押しつけることでメモ台支持アーム１を固定させるようにしても良い（第１種てこ構造）。また、メモ台支持アーム１は一端にメモ台２７を取付け、他端側に当接部２を備えるようにしているが、これに特に限られるものではなく、場合によってはメモ台２７と軸部４との間に当接部２を備えるようにしても良い。即ち、軸部４とメモ台２７を支持している部分との間でメモ台支持アーム１を分岐させてその分岐させたアームの下端に前向きに広がる抜け止め部３と当接部２とを構成する鉤部材２８を設けて前脚７の後面側に宛がうようにしても良い（第２種てこ構造）。いずれの場合にも、メモ台支持アーム１の軸部４を椅子側のメモ台取付け用パイプ１０に差し込み、メモ台支持アーム１が前方へ向けて傾くように回転させるだけで、メモ台支持アーム１の下端の当接部２が前脚７に押し当てられて固定されるので、簡単に装着できる。
【００４４】
当接部２は、てこの作用点として機能すれば良いので、軸部（支点）４を中心に回転する方向において、後脚６あるいは前脚７の前面あるいは後面と対向する方向で接する部分を有していれば良い。しかも、脚の内側面に引っ掛かる抜け止め部３の存在がなくとも、メモ台２７の自重あるいはメモ台２７にかかる荷重でメモ台支持アーム１が軸部４を中心に回転しようとするモーメントが常時作用して当接部２が脚部６あるいは７に常時押し当てられるため、メモ台支持アーム１を側方に引き抜く外力が働かない限り椅子から外れ落ちることはない。したがって、抜け止め部３を伴う鉤型でなくても、脚６あるいは７の前面側あるいは後面側を椅子の幅方向に横切る単なる直線状の棒のようなものでも良い。即ち、抜け止め部３は必ずしも必要ない。また、当接部２は、場合によっては、メモ台支持アーム１の下端部１ｂを後脚６あるいは前脚７に向けて内向きに曲げて後脚６あるいは前脚７へ直接に押し当てるようにして、メモ台支持アーム１の一部分を当接部２として機能させるようにしても良い。この場合、メモ台支持アーム１の下端部１ｂは、面圧を低くするため接触面積を広くすることが好ましいことから、メモ台使用時におけるメモ台支持アーム下端部１ｂの角度が脚６あるいは７の角度とほぼ等しくなるように折り曲げられて脚に沿って配置されることが好ましい。
【００４５】
メモ台支持アーム１の上端に備えられる天板２９は固定式でも良いが、好ましくは椅子使用者が起立し易いように、あるいは不意に起立しようとする際に邪魔にならないようにするため、翻転自在に支持されていることが好ましい。そこで、メモ台２７は、例えば、図２に示すように、天板２９と、メモ台支持アーム１と、天板を受け支える天板受け３０と、メモ台支持アーム１と天板受け３０とを翻転自在に連結するヒンジ連結具３１とから構成されている。ヒンジ連結具３１は、例えば、メモ台支持アームの上端の楕円形状の台承部３２と軸受けパイプ３３及び天板受け３０側に備えられている他方の軸受けパイプ３４と連結ピン（図示省略）とで構成され、前後方向に配されるヒンジ軸を中心に左右方向に翻転自在に設けられている。この場合、椅子使用者が起立しようとする際に、椅子使用者の体でメモ台２７が押し上げられて椅子の前方が開ける。
【００４６】
本実施形態にかかるメモ台取付け構造によれば、メモ台支持アーム１の椅子への取付けは、軸部５をメモ台取付け用パイプ１０に装入させて回転させるだけで、当接部２が後脚６の前面に押し当てられると同時にメモ台２７が所定の使用位置にセットされることとなる。このとき、軸部４及びメモ台取付け用パイプ１０の断面形状が丸なので、挿入時の角度に制限はなく、例えば使用者が持ち易い角度で挿入可能となる。そして、軸部４の根元の突起５を係留部材８の受入れ口１７を通過させる際に、突起５と切り欠き１８の位置を一致させるように角度を合わせ即ち位置合わせを行い、さらに奥に挿入すれば良い（図６及び図７参照）。そして、一旦椅子側の軸承け部、即ち係留部材８とメモ台取付け用パイプ１０に嵌入されたメモ台支持アーム１は、係留部材８と抜け止め部材３とで抜けが防止される。したがって、メモ台が使用状態にセットされると同時にメモ台が安定的に使用できる。
【００４７】
他方、メモ台２７を椅子から取り外す時には、メモ台支持アーム１を僅かに引き起こして（引き上げて）、脚６から抜け止め部３を外した後に、メモ台支持アーム１を水平に引いて係留部材８の切り欠き１８と軸部４の突起５との位置を合わせて、あるいは合うまでメモ台支持アームをひっぱりながら回転させ、メモ台支持アーム１の軸部４を引き抜くことにより取り外す。因みに、メモ台支持アーム１側の突起５と係留部材８の切り欠き１８とを設けていない場合には、当接部２を脚から離してあるいは抜け止め部３を備えている場合にはさらに脚に抜け止め部３が引っ掛からないようにすれば、どの角度でも取り外しできる。
【００４８】
以上のように構成されたメモ台取付け構造によれば、椅子側のメモ台取付け用パイプ１０に軸部４が挿入されて下端の当接部２が後脚６に受け止められることによって固定されるので、メモ台２７に掛かる力が軸部４と当接部２とを介して脚に分散されて受け止められるので、軸部４の支持構造即ちメモ台取付け用パイプ１０への荷重負担が軽減される。換言すれば、軸部４のみでメモ台２７に掛かる力を全て支える場合に比べて遙かに低い剛性でも耐え得ることとなる。このため、軸部４そのものも細くできると共にメモ台支持アーム１を構成するパイプの肉厚も薄く、更には直径を細くすることもできる。
【００４９】
また、メモ台支持アーム１を細く、肉薄に形成できるので、重量が軽くなり、椅子の重心の偏りが少なくなるので、椅子の安定性が増す。今までは、メモ台に関する重量が大きく、椅子をメモ台を装着した側に傾けたときに転倒し易くなっていたが、本実施形態の場合には傾けても転倒し難くなった。また、座の中央を横切るようにメモ台取付け用パイプが入っているので、その分重心が座の中心に寄り、一層安定性が増す。
【００５０】
しかも、メモ台支持アーム１の軸部４を椅子側のメモ台取付け用パイプ１０に差し込み、回転させるだけの簡単な操作で簡単に装着できる。
【００５１】
また、メモ台支持アーム１を鉛直に立てたときに、軸部４の突起５と係留部材８の切り欠き１８との位置が一致するように設けていれば、メモ台を引き上げるようにメモ台支持アームを逆回転させてメモ台支持アームの軸部附近（上端、下端の両端を除く中央部分）を垂直に配置して手前側に引っ張れば（パイプから軸部を引き抜けば）、簡単に取り外しができる。
【００５２】
さらに、椅子の左右にメモ台支持アームの軸部を挿入可能な係留部材を備えていれば、メモ台は椅子の右側でも左側でも必要に応じて装着することができる。また、メモ台を使用していないときの係留部材の受入れ口を塞ぐ目隠しカバーを着脱自在に装着可能とすることが好ましい。
【００５３】
なお、上述の形態は本発明の好適な形態の一例ではあるがこれに限定されるものではなく本発明の要旨を逸脱しない範囲において種々変形実施可能である。例えば、上述の実施形態では、椅子側の軸承け部は、左右脚フレームを繋ぐ前後の脚継ぎパイプ１１の間にこれらと平行に配置されたメモ台取付け用パイプ１０で構成されているが、これに特に限られず、場合によっては前後のいずれか一方の脚継ぎパイプ１１そのものを軸承け部として構成しても良い。この場合には、椅子本体側の追加設備が更に少なくなることで、追加製造コストをさらに低くできる。
【００５４】
また、本実施形態では、前脚７と後脚６とを連結する脚連結金具１２の中央部分に軸承け部を構成するメモ台取付け用パイプ１０を溶接付けしているが、座の湾曲が大きくて干渉する虞がある場合には、例えば直接に前脚７あるいは後脚６にメモ台取付け用パイプ１０を備えるようにしても良い。例えば左右の前脚間あるいは後脚間にメモ台取付け用パイプを配置して溶接付けするようにしても良い。
【００５５】
また、上述の実施形態では、前脚７と後脚６とを脚連結金具１２で相互に連結した台形状の脚フレームを備える椅子に適用した場合について主に説明したが、これに特に限られるものではなく、例えば前脚と後脚と座を支える部分を全てパイプを折り曲げたり、溶接などで組み付けるタイプの脚フレームの椅子に適用することも可能である。この場合には、座を支えるフレーム部分あるいは前後の脚のいずれか一方にメモ台取付け用パイプを備えれば足りる。
【００５６】
また、上述の実施形態では、メモ台は、軸部を中心に前方へ倒してセットし、メモ台支持フレームを引き起こして鉛直に立ててから取り外すように設けられた例を挙げて主に説明されているが、これに特に限られるものではなく、場合によっては軸部を中心に後方へ倒すようにしてセットし、前方に起こしてから取り外す構造にしても良い。このとき、メモ台支持アームは、所謂第１種てこ構造を構成する場合には後脚あるいは前脚の後方側の面に係止部の当接部が宛がわれて椅子の前方へ向かう力を受け止めることとなり、所謂第２種てこ構造を構成する場合には、後脚の前方側の面に係止部の当接部が宛がわれて椅子の後方へ向かう力を受け止めることとなる。
【符号の説明】
【００５７】
１  メモ台支持アーム
２  当接部
３  抜け止め部
４  メモ台支持アームの軸部
５  軸部の突起
６，７  脚
８  係留部材
１０  軸承け部を構成するメモ台取付け用パイプ
１７  係留部材の受入れ口
１８  係留部材の受入れ口の周縁の切り欠き
【図１】
0006464033.tif 000002
【図２】
0006464033.tif 000003
【図３】
0006464033.tif 000004
【図４】
0006464033.tif 000005
【図５】
0006464033.tif 000006
【図６】
0006464033.tif 000007
【図７】
0006464033.tif 000008